【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御するか否かを決定する決定手段と、
前記決定手段の決定前に、前記有利状態に制御されるか否かを判定する判定手段と、
前記決定手段の決定結果にもとづいて、可変表示中に、前記有利状態に制御される可能性を予告する予告演出を実行する予告演出実行手段と、
前記判定手段の判定結果にもとづいて、当該判定の対象となった可変表示が実行される以前に開始される可変表示中に開始前予告演出を実行する開始前予告演出実行手段と、
前記開始前予告演出を制限可能な開始前予告演出制限手段とを備え、
前記予告演出実行手段は、演出態様が段階的に変化する予告態様であって、いずれの段階まで変化するかによって実行期間が異なる複数種類の予告態様のいずれかにより前記予告演出を実行し、
前記開始前予告演出実行手段は、前記予告演出実行手段が第一の段階を最終段階とする予告態様により前記予告演出を実行する場合には該第一の段階から次の段階に変化するタイミングとして定められた時期に前記開始前予告演出を実行し、前記予告演出実行手段が前記第一の段階より後の第二の段階を最終段階とする予告態様により前記予告演出を実行する場合には該第二の段階から次の段階に変化するタイミングとして定められた時期に前記開始前予告演出を実行する
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】００１２
【補正方法】変更
【補正の内容】
【００１２】
（１）本発明による遊技機は、可変表示を行い、遊技者にとって有利な有利状態（例えば、大当り遊技状態）に制御可能な技機であって、有利状態に制御するか否かを決定する決定手段（例えば、遊技制御用マイクロコンピュータ５６０におけるステップＳ６１の処理を実行する部分）と、決定手段の決定前に、有利状態に制御されるか否かを判定する判定手段と、決定手段の決定結果にもとづいて、可変表示中に、有利状態に制御される可能性を予告する予告演出（例えば、ステップアップ予告演出）を実行する予告演出実行手段（例えば、演出制御用マイクロコンピュータ１００におけるステップＳＳ８０１３の処理による決定にもとづいてステップＳ８０１６〜Ｓ８０２０，Ｓ８４１〜Ｓ８４４の処理を実行する部分）と、判定手段の判定結果にもとづいて、当該判定の対象となった可変表示が実行される以前に開始される可変表示中に開始前予告演出（例えば、先読み予告演出）を実行する開始前予告演出実行手段（例えば、演出制御用マイクロコンピュータ１００におけるステップＳ６００８，Ｓ６０２５，Ｓ８００８，Ｓ８０１４，Ｓ８４０Ｄ，Ｓ８４０Ｅを実行する部分）と、開始前予告演出を制限可能な開始前予告演出制限手段とを備え、予告演出実行手段は、演出態様が段階的に変化する予告態様であって、いずれの段階まで変化するかによって実行期間が異なる複数種類の予告態様のいずれかにより予告演出を実行し、開始前予告演出実行手段は、予告演出実行手段が第一の段階を最終段階とする予告態様により予告演出を実行する場合には該第一の段階から次の段階に変化するタイミングとして定められた時期に開始前予告演出を実行し、予告演出実行手段が第一の段階より後の第二の段階を最終段階とする予告態様により予告演出を実行する場合には該第二の段階から次の段階に変化するタイミングとして定められた時期に開始前予告演出を実行することを特徴とする。
そのような構成によれば、予告演出と開始前予告演出とが同時に実行されることが防止され、予告の効果を低下させないようにすることができる。
【手続補正４】
【補正対象書類名】明細書
【補正対象項目名】００１３
【補正方法】変更
【補正の内容】
【００１３】
（２）具体的な一例として、予告演出実行手段は、予告演出として、第一段階から複数段階まで（例えば、ステップ１からステップ３まで）演出態様が段階的に変化する段階演出を実行し、開始前予告演出実行手段は、予告演出実行手段が段階演出を最終段階（例えば、ステップ３）よりも前に終了させた後（例えば、ステップ２で終了させた後）、段階演出における次段階（例えば、ステップ３）の演出が実行される予定であったタイミングにおいて開始前予告演出を実行する。
そのような構成によれば、段階演出による予告演出が実行されなくなってから開始前予告演出が実行されるので、段階演出の終了によって期待感をなくした遊技者に対して、開始前予告演出によって再度期待感を抱かせることができる。
【手続補正５】
【補正対象書類名】明細書
【補正対象項目名】００１４
【補正方法】変更
【補正の内容】
【００１４】
（３）上記の（１）または（２）の遊技機において、予告演出実行手段は、決定手段が有利状態に制御することに決定した場合に高い割合により特定モチーフ（例えば、図３８に示す枠画像９ｆ）を表示する（例えば、演出表示装置９に表示する）ことによって予告演出を実行し、開始前予告演出実行手段により開始前予告演出が実行される場合には、判定手段の判定の対象となった可変表示が実行されるまで特定モチーフによる予告演出を実行しないように構成されていてもよい。
そのような構成によれば、有利状態に制御される期待度が高いことを示す特定モチーフが開始前予告演出による有利状態に制御されることに対する期待度を表していると誤解されることが防止される。
【手続補正６】
【補正対象書類名】明細書
【補正対象項目名】００１５
【補正方法】変更
【補正の内容】
【００１５】
（４）上記の（１）〜（３）の遊技機において、始動領域を遊技媒体が通過したときに、数値データを抽出する数値データ抽出手段（例えば、遊技制御用マイクロコンピュータ５６０におけるステップＳ１２１６，Ｓ１２２７の処理を実行する部分）と、始動領域を遊技媒体が通過したが未だ可変表示の開始条件が成立していない可変表示について、所定の上限数（例えば、４）を限度に、数値データ抽出手段が抽出した数値データを保留記憶として記憶する保留記憶手段（例えば、図２０（Ｂ）に示す第１保留記憶バッファおよび第２保留記憶バッファ）とを備え、判定手段は、保留記憶手段に記憶されている保留記憶にもとづいて可変表示パターンがいずれになるのかを判定し（例えば、図２１に示すステップＳ２３２の処理を実行）、予告演出実行手段は、可変表示部における表示状態がリーチ状態になる前に予告演出を実行し（図３８、図３９および図５９参照）、開始前予告演出実行手段は、判定手段が可変表示パターンをリーチ可変表示とする保留記憶が保留記憶手段に記憶されていないことを条件に開始前予告演出を実行する（例えば、図４１に示すステップＳ６００７の処理を実行）ように構成されていてもよい。
そのような構成によれば、リーチ状態にならないときに開始前予告演出が実行され、リーチ状態になるときに予告演出が実行されるので、開始前予告演出と予告演出とのいずれかが実行される機会が増え、遊技者の期待感を喪失させないようにすることができる。
【手続補正７】
【補正対象書類名】明細書
【補正対象項目名】００１６
【補正方法】変更
【補正の内容】
【００１６】
（５）上記の（１）〜（４）の遊技機において、遊技の進行を制御する遊技制御手段（例えば、遊技制御用マイクロコンピュータ５６０）と、演出（例えば、演出図柄の変動表示）の制御を行う演出制御手段（例えば、演出制御用マイクロコンピュータ１００）とを備え、演出制御手段は、遊技制御手段からの情報（例えば、演出制御コマンド）にもとづいて演出の制御を行い、遊技制御手段は、判定手段と、決定手段と、始動領域を遊技媒体が通過したときに数値データを抽出する数値データ抽出手段（例えば、遊技制御用マイクロコンピュータ５６０におけるステップＳ１２１６，Ｓ１２２７の処理を実行する部分）と、始動領域を遊技媒体が通過したが未だ可変表示の開始条件が成立していない可変表示について、所定の上限数を限度に、数値データ抽出手段が抽出した数値データを保留記憶として記憶する保留記憶手段（例えば、図２０（Ｂ）に示す第１保留記憶バッファおよび第２保留記憶バッファ）と、保留記憶が増加したときに該保留記憶が増加したことを認識可能に保留記憶情報（例えば、始動入賞指定コマンド、合算保留記憶数指定コマンド）を送信する保留記憶情報送信手段（例えば、遊技制御用マイクロコンピュータ５６０におけるステップＳ１２２０，Ｓ１２２１，Ｓ１２３１，Ｓ１２３２を実行する部分）と、判定手段の判定結果を示す判定結果情報（例えば、図柄指定コマンド、変動カテゴリコマンド）を送信する判定結果情報送信手段（例えば、遊技制御用マイクロコンピュータ５６０におけるステップＳ１２１８、Ｓ１２１９，Ｓ１２２９，Ｓ１２３０を実行する部分）とを含み、演出制御手段は開始前予告演出実行手段を含み、該開始前予告演出実行手段は、判定結果情報にもとづいて開始時予告演出を実行し（例えば、ステップＳ６００８，Ｓ６０２５，Ｓ８００８の処理を実行）、演出制御手段は、一の保留記憶にもとづいて送信された判定結果情報を正常に受信することができなかった場合に、一の保留記憶にもとづく開始条件が成立するまで開始時予告演出の実行を制限する予告演出制限手段（例えば、演出制御用マイクロコンピュータ１００におけるステップＳ６００４，Ｓ６００５，Ｓ６０３３，Ｓ８００２，Ｓ８００３，Ｓ８００５の処理を実行する部分）を含むように構成されていてもよい。
そのような構成によれば、可変表示を行う前に実行可能な開始前予告演出の整合がとれなくなって、可変表示を行う前に実行可能な開始前予告演出の信頼性が低下することを防止することができる。